(57)【要約】      （修正有）【課題】髪をカールする際に、多目の髪でも簡単な構造のカール器具により確実にセットすることができ、素早くセットできる便利な髪のカール用器具を提供する。【解決手段】髪を巻き付ける巻付軸本体１を設け、本体の内部には発熱体２と、本体の略中央部には、巻き込み口３を設ける。巻き込み口を中心とし、巻付軸本体の両端部に向けて螺旋の凸条４を設け、凸条間にはそれぞれ溝部を設ける。巻き込み口の左・右に、それぞれケーシング５ａ，５ｂを設け、左ケーシングの末端には、雄ネジ６と、左ケーシングの末端部には、雄ネジと螺合する雌ネジ７を設け、左ケーシングの先端部には、巻付軸本体に巻き付けた髪を、溝部内にガイドする蓋付きガイド穴８を設ける。右ケーシング側には、巻き込んだ髪を係止する切欠部Ｚを設け、且つ、巻付軸本体の軸方向と同軸方向にクリップ９を設けたことを特徴とする。【選択図】図４
0003199703.tif 000002
【実用新案登録請求の範囲】
【請求項１】
適宜な長さと太さを有し、髪（Ｘ）を巻き付ける巻付軸本体（１）を設け、
該巻付軸本体（１）の内部には発熱体（２）を設け、
前記巻付軸本体（１）の長手方向の略中央部には、カール前の髪（Ｘ）の巻き込み口（３）を設け、
該巻き込み口（３）を中心とし、巻付軸本体（１）の一端部及び他端部に向けて螺旋の凸条（４）を設け、該凸条（４）間にはそれぞれ溝部（Ｙ）を設け、
前記巻き込み口（３）の左・右に、それぞれケーシング（５ａ）（５ｂ）を設け、
前記巻付軸本体（１）の前記左ケーシング（５ａ）の末端には、雄ネジ（６）を設け、  前記左ケーシング（５ａ）の末端部には、該雄ネジ（６）と螺合する雌ネジ（７）を設け、
前記左ケーシング（５ａ）の先端部、即ち，巻付軸本体（１）の巻き込み口（３）側には、巻付軸本体（１）に巻き付けた髪（Ｘ）を、溝部（Ｙ）内にガイドする蓋（８ａ）付きガイド穴（８）を設け、
右ケーシング（５ｂ）側には、巻き込んだ髪（Ｘ）を係止する切欠部（Ｚ）を設け、
且つ、該右ケーシング（５ｂ）には、前記巻付軸本体（１）の軸方向と同軸方向にクリップ（９）を設けた
ことを特徴とする髪のカール用器具。
【考案の詳細な説明】
【技術分野】
【０００１】
この考案は、髪のカール用器具に関するものである。
【背景技術】
【０００２】
従来、髪をカールする場合には、熱源を得るためコンセントに差し込んだ電気器具を用い、毛髪をローラーで何度も巻いてカール状に形成したものが存在していた。例えば、特許文献１のように。
【先行技術文献】
【特許文献】
【０００３】
特開平９−２６２１１９号公報
【０００４】
しかしながら、該器具をコンセントを差し込んだ状態で髪をカール状に何度も巻き、髪全体に順次この作業を繰り返して行なうことはかなりの時間を要し、その作業は煩雑であり、その間、他の作業をしようとしてもコンセントに差し込んだ電気コードの範囲内しか移動できず、不便であった。
【考案の概要】
【考案が解決しようとする課題】
【０００５】
そこで、この考案の課題は、髪をカールする際に、多少、多い目の髪であっても簡単な構造のカール器具により確実にセットすることができ、しかも、素早くセットできる便利な髪のカール用器具を開発・提供することにある。
【課題を解決するための手段】
【０００６】
この考案の髪のカール用器具は、
適宜な長さと太さを有し、髪を巻き付ける巻付軸本体を設け、
前記巻付軸本体の内部には発熱体を設け、
前記巻付軸本体の長手方向の略中央部には、カール前の髪の巻き込み口を設け、
前記巻き込み口を中心とし、前記巻付軸本体の一端部及び他端部に向けて前記螺旋の凸条を設け、前記凸条間にはそれぞれ溝部を設け、
前記巻き込み口の左・右に、それぞれケーシングを設け、
前記巻付軸本体の前記左ケーシングの末端には、雄ネジを設け、
前記左ケーシングの末端部には、該雄ネジと螺合する雌ネジを設け、
前記左ケーシングの先端部、即ち，前記巻付軸本体の巻き込み口側には、前記巻付軸本体に巻き付けた髪を、溝部内に案内するガイドする穴を設け、
前記右ケーシング側には、巻き込んだ髪を係止する切欠部を設け、
且つ、前記右ケーシングには、前記巻付軸本体の軸方向と同軸方向にクリップを設けた  ことを特徴とする。
【考案の効果】
【０００７】
この考案によると、カール前の髪（Ｘ）の束が多くても容易にカール出来、髪（Ｘ）の中途から毛先だけのカールでなく、必要であれば毛の根元に向かう髪にもカールもできるという極めて有益なる効果を奏するものである。
【０００８】
また、巻付軸本体（１）の形状を図６に示すようにテーパ状の巻付軸本体に変更することにより、髪（Ｘ）の毛先側に徐々に太くカールすることができ、カールの変化を楽しむことができ、極めて便利である等の効果も有する。
【図面の簡単な説明】
【０００９】
【図１】この考案に使用する巻付軸本体の一実施例を示し、（Ａ）は、平面図であり、（Ｂ）は、正面図である。
【図２】この考案に使用する一方のケーシングの一方の一実施例を示し、（Ａ）は、平面図であり、（Ｂ）は正面図であり、（Ｃ）は、左側面図であり、（Ｄ）は、右側面図である。
【図３】この考案に使用する他方のケーシングの一実施例を示し、（Ａ）は、平面図であり、（Ｂ）は正面視断面図であり、（Ｃ）は、右側面図である。
【図４】この考案の使用状態の一施例を示す斜視図である。
【図５】この考案に使用状態の説明図である。
【図６】この考案に使用する巻付軸本体の他の実施例を示し、（Ａ）は、斜視図であり、（Ｂ）は、面図であり、（Ｃ）は、左側面図であり、（Ｄ）は、右側面図である。
【考案を実施するための形態】
【００１０】
以下、この考案について詳細に説明する。尚、この考案においては、以下の記述に限定されるものではなく、この考案の要旨を逸脱しない範囲においては適宜変更可能である。
【実施例】
【００１１】
先ず、この考案の一実施例を図面に基づいて詳述すると、適宜な長さと太さを有し、髪（Ｘ）を巻き付ける巻付軸本体（１）を設け、前記巻付軸本体（１）の内部には発熱体（２）を設け、前記巻付軸本体（１）の長手方向の略中央部には、カール前の髪（Ｘ）の巻き込み口（３）を設け、前記巻き込み口（３）を中心とし、前記巻付軸本体（１）の一端部及び他端部に向けてそれぞれ螺旋の凸条（４）を設け、該凸条（４）間にはそれぞれ溝部（Ｙ）を設けている。カール前の髪（Ｘ）は前記溝部（Ｙ）内に順次強制的に案内されて巻かれカールされるものである。尚、巻付軸本体（１）はテーパ状でもよい。
【００１２】
そして、前記巻付軸本体（１）には、外周を左右から覆う左ケーシング（５ａ）と右ケーシング（５ｂ）を設けている。前記左ケーシング（５ａ）、前記右ケーシング（５ｂ）のそれぞれ一端部には挿入穴を設けており、左ケーシング（５ａ）の挿入穴の内周には雌ネジ（７）を設け、前記巻付軸本体（１）の一端に設けた雄ネジ（６）と螺合するよう構成しているが、右ケーシング（５ｂ）の挿入穴にはネジは設けていない。
【００１３】
さらに、左ケーシング（５ａ）の他端部に設けた前記巻き込み口（３）には、巻き付けた髪（Ｘ）を、前記巻付軸本体（１）の前記溝部（Ｙ）内に順次案内するガイド穴（８）を設けており、該穴には、開閉自在のスライド蓋（８ａ）が設けられている。
【００１４】
また、右ケーシング（５ｂ）には、巻き込んだ髪（Ｘ）を係止する切欠部（Ｚ）を設け、且つ、右ケーシング（５ｂ）の外部には、前記巻付軸本体（１）の軸方向と同軸方向にクリップ（９）を設けたものである。
【００１５】
尚、前記巻付軸本体（１）の太さは、１５ｃｍ程度であり、内部に発熱体（２）を内蔵している。また、前記巻付軸本体（１）の長さは、前記巻き込み口（３）を中心に、それぞれ左方向右に髪（Ｘ）が２回転、あるいは２回転半する程度の長さである。
【００１６】
そして、この考案の使用方法を説明すると、
〔１〕    先ず、前記巻付軸本体（１）の前記巻き込み口（３）に、カール前の髪（Ｘ）であって、生え際と毛先との中間部に位置する髪（Ｘ）を束ねて当てがう。
〔２〕    そして、この束ねた髪（Ｘ）部分を、巻付軸本体（１）に１回ほど巻き回し、毛先方向の残余の髪は、前記左ケーシング（５ａ）側の前記螺旋の凸条（４）で構成する溝部（Ｙ）に入れる。
〔３〕    次に、前記左ケーシング（５ａ）を、前記巻付軸本体（１）の前記巻き込み口（３）に向けて移動させて、前記巻き込み口（３）に位置する髪（Ｘ）を、前記左ケーシング（５ａ）の前記ガイド穴（８）内に一時収納する。
〔４〕    次に、前記左ケーシング（５ａ）を、図５に示す矢印方向、即ち，反時計方向に回転させることにより、カール前の髪（Ｘ）であって、毛先に向かう髪（Ｘ）は、前記螺旋の凸条（４）で形成された溝部（Ｙ）内に案内されながらカールされるものである。
〔５〕    そして、前記左ケーシング（５ａ）が回転し、前記ケーシングの雌ネジ（７）が前記巻付軸本体（１）の末端に形成した雄ネジ（６）との螺合状態がし終わり、毛先に向かう髪（Ｘ）のカールがし終わる。
〔６〕    すると、螺合し終わった際には、前記左ケーシング（５ａ）と前記巻付軸本体（１）とは、一体に回転しはじめ、毛先に向かう髪（Ｘ）の生え際に向かう残余の髪をカールする。
〔７〕  そして、前記ケーシング（５ｂ）が毛の生え際まで近づくと、前記ケーシング（５ｂ）に形成した切欠部（Ｚ）に髪（Ｘ）を挟むと共に、クリップ（９）でも固定するものである。
【００１７】
以上のように、この考案は、一例を述べると、１人分で６個使用するものであり、その内訳は、前髪には、左・右で１個づつ使用し、後髪には、上・下で２個づつ計４個用いて使用し、合計６個のカール用器具を使用するものである。
【産業上の利用可能性】
【００１８】
この考案の髪のカール用器具の技術を確立し、実施することにより、産業上利用できるものである。
【符号の説明】
【００１９】
１  巻付軸本体
２  発熱体
３  巻き込み口
４  螺旋の凸条
５ａ  左ケーシング
５ｂ  右ケーシング
６  雄ネジ
７  雌ネジ
８  ガイド穴
８ａ  蓋
９  クリップ
Ｘ  髪
Ｙ  溝部
Ｚ  切欠部
【図１】
0003199703.tif 000003
【図２】
0003199703.tif 000004
【図３】
0003199703.tif 000005
【図４】
0003199703.tif 000006
【図５】
0003199703.tif 000007
【図６】
0003199703.tif 000008
【手続補正書】
【提出日】平成27年7月1日(2015.7.1)
【手続補正１】
【補正対象書類名】明細書
【補正対象項目名】０００４
【補正方法】変更
【補正の内容】
【０００４】
しかしながら、該器具をコンセントに差し込んだ状態で髪をカール状に何度も巻き、髪全体に順次この作業を繰り返して行なうことはかなりの時間を要し、その作業は煩雑であり、その間、他の作業をしようとしてもコンセントに差し込んだ電気コードの範囲内しか移動できず、不便であった。
【手続補正２】
【補正対象書類名】明細書
【補正対象項目名】００１５
【補正方法】変更
【補正の内容】
【００１５】
尚、前記巻付軸本体（１）の太さは、１．５ｃｍ程度であり、内部に発熱体（２）を内蔵している。また、前記巻付軸本体（１）の長さは、前記巻き込み口（３）を中心に、それぞれ左・右方向に髪（Ｘ）が２回転、あるいは２回転半する程度の長さである。